【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
ビデオデータ内の予測されたピクチャを復号するのに使用するための参照ピクチャリストを生成する方法であって、前記方法は、
復号ピクチャバッファ（ＤＰＢ）から参照ピクチャの一時的順序付けリストを生成するステップであって、当該一時的順序付けリストは、
現在復号されているピクチャよりも時間的に前の参照ピクチャが前記ＤＰＢにある場合は、それらの参照ピクチャが現在復号されている前記ピクチャからの時間的距離に従って順に列記され、
次いで現在復号されている前記ピクチャよりも時間的に後の参照ピクチャが前記ＤＰＢにある場合はそれらの参照ピクチャが現在復号されている前記ピクチャからの時間的距離に従って順に列記され、
次いで前記ＤＰＢにあるいずれかの長期参照ピクチャで順序付けられる、ステップと、
参照ピクチャの前記一時的順序付けリストから参照ピクチャを選択することによって参照ピクチャリストを生成するステップであって、前記参照ピクチャリストが変更されたリストとなることになるとき、参照ピクチャリストを生成する前記ステップは、前記参照ピクチャリストの中における各々のエントリに対して、参照ピクチャの前記一時的順序付けリストへのインデックスを読み取ること、および、前記参照ピクチャリストの中における前記エントリにおいて、参照ピクチャの前記一時的順序付けリストから前記参照ピクチャを列記することを含む、ステップと
を備えることを特徴とする方法。
【請求項２】
前記参照ピクチャリストが変更されたリストとなるかどうかを示しているデータを読み取るステップ
をさらに備えることを特徴とする請求項１に記載の方法。
【請求項３】
前記参照ピクチャリストが変更されたリストとなることにならないとき、参照ピクチャリストを生成する前記ステップは、参照ピクチャの前記一時的順序付けリストから、規定された数のエントリまで順番にエントリを取得することを含むことを特徴とする請求項２に記載の方法。
【請求項４】
前記インデックスは、構文要素ref_pic_set_idxによって規定されることを特徴とする請求項１乃至３いずれかに記載の方法。
【請求項５】
構文要素ref_pic_list_modification_flag_l0を読み込むステップであって、ref_pic_list_modification_flag_l0は、前記構文要素ref_pic_set_idxが前記参照ピクチャリストを生成するのに使用するため存在していることを示す第１の値に等しく、ref_pic_list_modification_flag_l0は、前記構文要素ref_pic_set_idxが前記参照ピクチャリストを生成するのに使用するため存在していないことを示す第２の値に等しいことを特徴とする請求項４に記載の方法。
【請求項６】
ref_pic_set_idxが存在しない場合、前記インデックスはゼロに設定されることを特徴とする請求項４に記載の方法。
【請求項７】
参照ピクチャの前記一時的順序付けリストにおける前記長期参照ピクチャは、前記ＤＰＢに格納されている順序で、列記されることを特徴とする請求項１に記載の方法。
【請求項８】
ビデオデータ内の予測されたピクチャを復号するのに使用するビデオデコーダ装置であって、
復号ピクチャバッファ（ＤＰＢ）から参照ピクチャの一時的順序付けリストを生成するよう構成されたプロセッサであって、当該一時的順序付けリストは、
現在復号されているピクチャよりも時間的に前の参照ピクチャが前記ＤＰＢにある場合は、それらの参照ピクチャが現在復号されている前記ピクチャからの時間的距離に従って順に列記され、
次いで現在復号されている前記ピクチャよりも時間的に後の参照ピクチャが前記ＤＰＢにある場合はそれらの参照ピクチャが現在復号されている前記ピクチャからの時間的距離に従って順に列記され、
次いで前記ＤＰＢにあるいずれかの長期参照ピクチャで順序付けられる、プロセッサと、
参照ピクチャの前記一時的順序付けリストから参照ピクチャを選択することによって参照ピクチャリストを生成するようさらに構成された前記プロセッサであって、前記参照ピクチャリストが変更されたリストとなることになるとき、前記参照ピクチャリストを生成することは、前記参照ピクチャリストの中における各々のエントリに対して、参照ピクチャの前記一時的順序付けリストへのインデックスを読み取ること、および、前記参照ピクチャリストの中における前記エントリにおいて、参照ピクチャの前記一時的順序付けリストから前記インデックスによって識別される前記参照ピクチャを列記することを含む、前記プロセッサと
を備えたことを特徴とするビデオデコーダ装置。
【請求項９】
前記プロセッサは、前記参照ピクチャリストが変更されたリストとなるかどうかを示しているデータを読み取るようさらに構成されたことを特徴とする請求項８に記載のビデオデコーダ装置。
【請求項１０】
前記プロセッサは、前記参照ピクチャリストが変更されたリストとなることにならないとき、参照ピクチャの前記一時的順序付けリストから、規定された数のエントリまで順番にエントリを取得することによって参照ピクチャリストを生成するようさらに構成されたことを特徴とする請求項９に記載のビデオデコーダ装置。
【請求項１１】
前記プロセッサは、構文要素ref_pic_list_modification_flag_l0を読み込むことによって、前記参照ピクチャリストが変更されたリストとなるかどうかを決定するようさらに構成されたことを特徴とする請求項９に記載のビデオデコーダ装置。
【請求項１２】
前記インデックスは、構文要素ref_pic_set_idxによって規定されることを特徴とする請求項９乃至１１いずれかに記載のビデオデコーダ装置。
【請求項１３】
前記プロセッサは、構文要素ref_pic_list_modification_flag_l0を読み込むようさらに構成され、ref_pic_list_modification_flag_l0は、前記構文要素ref_pic_set_idxが前記参照ピクチャリストを生成するのに使用するため存在していることを示す第１の値に等しく、ref_pic_list_modification_flag_l0は、前記構文要素ref_pic_set_idxが前記参照ピクチャリストを生成するのに使用するため存在していないことを示す第２の値に等しいことを特徴とする請求項１２に記載のビデオデコーダ装置。
【請求項１４】
前記参照ピクチャリストに関連してref_pic_set_idxが存在しない場合、前記インデックスはゼロに設定されることを特徴とする請求項１２または１３に記載のビデオデコーダ装置。
【請求項１５】
参照ピクチャの前記一時的順序付けリストにおける前記長期参照ピクチャは、前記ＤＰＢに格納されている順序で、列記されることを特徴とする請求項８に記載のビデオデコーダ装置。
【請求項１６】
ビデオデータビットストリーム内に予測されたピクチャを符号化するのに使用するビデオエンコーダ装置であって、
復号ピクチャバッファ（ＤＰＢ）から参照ピクチャの一時的順序付けリストを生成するよう構成されたプロセッサであって、当該一時的順序付けリストは、
現在符号化されているピクチャよりも時間的に前の参照ピクチャが前記ＤＰＢにある場合は、それらの参照ピクチャが現在符号化されている前記ピクチャからの時間的距離に従って順に列記され、
次いで現在符号化されている前記ピクチャよりも時間的に後の参照ピクチャが前記ＤＰＢにある場合はそれらの参照ピクチャが現在符号化されている前記ピクチャからの時間的距離に従って順に列記され、
次いで前記ＤＰＢにあるいずれかの長期参照ピクチャで順序付けられる、プロセッサと、
参照ピクチャの前記一時的順序付けリストから参照ピクチャを選択することによって参照ピクチャリストを生成するようさらに構成された前記プロセッサであって、前記参照ピクチャリストが変更されたリストとなることになるとき、前記参照ピクチャリストを生成することは、前記参照ピクチャリストの中における各々のエントリに対して、参照ピクチャの前記一時的順序付けリストから参照ピクチャを選択して、前記参照ピクチャリストの中における前記エントリを占有すること、前記参照ピクチャリストの中における前記エントリで前記選択されたピクチャを列記すること、参照ピクチャの前記一時的順序付けリストへの対応するインデックスを生成することであって、当該インデックスが参照ピクチャの前記一時的順序付けリスト内の前記選択されたピクチャを識別していること、および、前記インデックスを前記ビットストリームへ符号化することを含む、前記プロセッサ
を備えたことを特徴とするビデオエンコーダ装置。
【請求項１７】
前記プロセッサは、前記参照ピクチャリストが変更されたリストとなるかどうかを示しているデータを前記ビットストリームへ書き込むようさらに構成されたことを特徴とする請求項１６に記載のビデオエンコーダ装置。
【請求項１８】
前記プロセッサは、前記参照ピクチャリストが変更されたリストとなることにならないとき、参照ピクチャの前記一時的順序付けリストから、規定された数のエントリまで順番にエントリを取得することによって前記参照ピクチャリストを生成するようさらに構成されたことを特徴とする請求項１７に記載のビデオエンコーダ装置。
【請求項１９】
前記インデックスは、構文要素ref_pic_set_idxによって規定されることを特徴とする請求項１７に記載のビデオエンコーダ装置。
【請求項２０】
前記プロセッサは、構文要素ref_pic_list_modification_flag_l0を前記ビットストリームへ書き込むようさらに構成され、ref_pic_list_modification_flag_l0は、前記構文要素ref_pic_set_idxが前記参照ピクチャリストを生成するのに使用するため前記ビットストリームに存在していることを示す第１の値に等しく、ref_pic_set_idxが前記参照ピクチャリストを生成するのに使用するため前記ビットストリームに存在していないことを示す第２の値に等しいことを特徴とする請求項１９に記載のビデオエンコーダ装置。
【請求項２１】
参照ピクチャの前記一時的順序付けリストにおける前記長期参照ピクチャは、前記ＤＰＢに格納されている順序で、列記されることを特徴とする請求項１６に記載のビデオエンコーダ装置。
【請求項２２】
ビデオデータビットストリーム内に予測されたピクチャを符号化するのに使用する参照ピクチャリストを生成する方法であって、前記方法は、
復号ピクチャバッファ（ＤＰＢ）から参照ピクチャの一時的順序付けリストを生成するステップであって、当該一時的順序付けリストは、
現在符号化されているピクチャよりも時間的に前の参照ピクチャが前記ＤＰＢにある場合は、それらの参照ピクチャが現在符号化されている前記ピクチャからの時間的距離に従って順に列記され、
次いで現在符号化されている前記ピクチャよりも時間的に後の参照ピクチャが前記ＤＰＢにある場合はそれらの参照ピクチャが現在符号化されている前記ピクチャからの時間的距離に従って順に列記され、
次いで前記ＤＰＢにあるいずれかの長期参照ピクチャで順序付けられる、ステップと、
参照ピクチャの前記一時的順序付けリストから参照ピクチャを選択することによって参照ピクチャリストを生成するステップであって、前記参照ピクチャリストが変更されたリストとなることになるとき、参照ピクチャリストを生成する前記ステップは、前記参照ピクチャリストの中における各々のエントリに対して、参照ピクチャの前記一時的順序付けリストから参照ピクチャを選択して、前記参照ピクチャリストの中における前記エントリを占有すること、前記参照ピクチャリストの中における前記エントリで前記選択されたピクチャを列記すること、参照ピクチャの前記一時的順序付けリストへの対応するインデックスを生成することであって、当該インデックスが参照ピクチャの前記一時的順序付けリスト内の前記選択されたピクチャを識別していること、および、前記インデックスを前記ビットストリームへ符号化することを含む、ステップ
を備えることを特徴とする方法。
【請求項２３】
前記参照ピクチャリストが変更されたリストとなるかどうかを示しているデータを前記ビットストリームへ書き込むステップをさらに備えること特徴とする請求項２２に記載の方法。
【請求項２４】
前記参照ピクチャリストが変更されたリストとなることにならないとき、参照ピクチャリストを生成する前記ステップは、参照ピクチャの前記一時的順序付けリストから、規定された数のエントリまで順番にエントリを取得することを含むこと特徴とする請求項２３に記載の方法。
【請求項２５】
前記インデックスは、構文要素ref_pic_set_idxによって規定されることを特徴とする請求項２３に記載の方法。
【請求項２６】
構文要素ref_pic_list_modification_flag_l0を前記ビットストリームへ書き込むステップであって、ref_pic_list_modification_flag_l0は、前記構文要素ref_pic_set_idxが前記参照ピクチャリストを生成するのに使用するため前記ビットストリームに存在していることを示す第１の値に等しく、ref_pic_set_idxが前記参照ピクチャリストを生成するのに使用するため前記ビットストリームに存在していないことを示す第２の値に等しい、ステップ
をさらに備えること特徴とする請求項２５に記載の方法。
【請求項２７】
参照ピクチャの前記一時的順序付けリストにおける前記長期参照ピクチャは、前記ＤＰＢに格納されている順序で、列記されることを特徴とする請求項２３に記載の方法。